(57)【要約】【課題】既存のデジタル放送受信装置本体を交換することなく、暗号化されたデータを扱う著作権保護機能を有する有料のデータ蓄積サービスを行うことのできるデジタル放送限定受信装置、及び外部限定受信モジュールを提供することを目的とする。【解決手段】外部限定受信モジュール２内において、デジタル放送受信装置本体１から入力したスクランブルのかかったストリームは、デスクランブラ部２１でスクランブルを解除し、限定受信制御部２２とストリーム分離部２４を経由して、著作権保護機能付きデータ蓄積カード制御部２６で外部の著作権保護機能付きデータ蓄積カード３に対し、相互認証しながら暗号化してデータを格納し、また、該データ蓄積カード３から取り込んで復号化したデータは、ストリーム多重部２５と限定受信制御部２２を経由して、ストリーム暗号部２３で暗号化処理をして、デジタル放送受信装置本体１に出力する。【選択図】　　　図１
2004032342.tif 000002
【特許請求の範囲】
【請求項１】
デジタル放送限定受信装置において、
圧縮された映像、及び音声のストリームをデコード処理するデジタル放送受信装置本体と、
デジタル放送限定受信機能を有する外部限定受信モジュールと、
著作権保護機能を有するデータ蓄積カード、又は、データ蓄積装置と、
上記外部限定受信モジュールと、上記データ蓄積カード、又は、上記データ蓄積装置とを接続する手段とを備えた、
ことを特徴とするデジタル放送限定受信装置。
【請求項２】
デジタル放送限定受信装置において、
圧縮された映像、及び音声のストリームをデコード処理するデジタル放送受信装置本体と、
デジタル放送限定受信機能を有する外部限定受信モジュールと、
著作権保護機能を有するデータ蓄積カード、又は、データ蓄積装置と、
上記外部限定受信モジュールと、該外部限定受信モジュールと上記データ蓄積カードとを接続するデータ蓄積カード接続アダプタ、又は、上記データ蓄積装置との間でデータの送受信を行う通信手段とを備えた、
ことを特徴とするデジタル放送限定受信装置。
【請求項３】
デジタル放送限定受信装置において、
圧縮された映像、及び音声のストリームをデコード処理するデジタル放送受信装置本体と、
デジタル放送限定受信機能を有する外部限定受信モジュールと、
上記外部限定受信モジュールと、該外部限定受信モジュールと上記データ蓄積カードとを接続するデータ蓄積カード接続アダプタ、又は、上記データ蓄積装置との間でストリームの送受信を行う通信手段とを備えた、
ことを特徴とするデジタル放送限定受信装置。
【請求項４】
スクランブルのかかったストリームをデジタル放送受信装置本体から入力し、契約内容に応じてデスクランブル処理をして、スクランブル解除のストリームを出力するデスクランブラ手段と、
上記デジタル放送受信装置本体とのやり取りにより、本外部限定受信モジュール内の各手段を制御すると共に、上記デスクランブラ手段より第１の入力ポートから入力したストリームを、データ蓄積しない場合は、第１の出力ポートに出力し、データ蓄積する場合は、第２の出力ポートに出力すると共に、第２の入力ポートから入力したストリームを第１の出力ポートに出力する限定受信制御手段と、
上記限定受信制御手段の第１の出力ポートより入力したストリームに対し、同じく上記限定受信制御手段から与えられた暗号鍵に従い暗号化処理をして、暗号のかかったストリームを上記デジタル放送受信装置本体に出力するストリーム暗号手段と、
上記限定受信制御手段の第２の出力ポートよりストリームを入力し、該ストリームのヘッダ部を解釈して種類毎にストリーム内から選択分離したデータを出力するストリーム分離手段と、
入力したデータを種類毎にストリームのヘッダ部を付加し、多重化して生成したストリームを上記限定受信制御手段の第２の入力ポートに出力するストリーム多重手段と、
上記ストリーム分離手段よりデータを入力し、外部の著作権保護機能付きデータ蓄積カード、又は、著作権保護機能付きデータ蓄積装置に対し、相互認証しながら、データ格納時は暗号化処理をしてデータ出力し、データ取り込み時は暗号化したデータを入力して復号化処理をすると共に、取り込んだデータを上記ストリーム多重手段に出力する著作権保護機能付きデータ蓄積制御手段とを備えた、
ことを特徴とする外部限定受信モジュール。
【請求項５】
スクランブルのかかったストリームをデジタル放送受信装置本体から入力し、契約内容に応じてデスクランブル処理をして、スクランブル解除のストリームを出力するデスクランブラ手段と、
デジタル放送受信装置本体とのやり取りにより、本外部限定受信モジュール内の各手段を制御すると共に、上記デスクランブラ手段より第１の入力ポートから入力したストリームを、データ蓄積しない場合は第１の出力ポートに出力し、データ蓄積する場合は第２の出力ポートに出力すると共に、第２の入力ポートから入力したストリームを第１の出力ポートに出力する限定受信制御手段と、
上記限定受信制御手段の第１の出力ポートより入力したストリームに対し、同じく上記限定受信制御手段から与えられた暗号鍵に従い暗号化処理をして、暗号のかかったストリームをデジタル放送受信装置本体に出力するストリーム暗号手段と、
上記限定受信制御手段の第２の出力ポートよりストリームを入力し、該ストリームのヘッダ部を解釈して種類毎にストリーム内から選択分離したデータを出力するストリーム分離手段と、
入力したデータを種類毎にストリームのヘッダ部を付加し、多重化して生成したストリームを上記限定受信制御手段の第２の入力ポートに出力するストリーム多重手段と、
上記ストリーム分離手段よりデータを入力し、外部の著作権保護機能付きのデータ蓄積カード接続アダプタ、又は、著作権保護機能付きデータ蓄積装置に対し、相互認証しながら、データ格納時は暗号化処理をしてデータ送信し、データ取り込み時は暗号化したデータを受信して復号化処理すると共に、取り込んだデータを上記ストリーム多重手段に出力する著作権保護機能付きデータ送受信手段とを備えた、
ことを特徴とする外部限定受信モジュール。
【請求項６】
スクランブルのかかったストリームをデジタル放送受信装置本体から入力し、契約内容に応じてデスクランブル処理をして、スクランブル解除のストリームを出力するデスクランブラ手段と、
デジタル放送受信装置本体とのやり取りにより、本外部限定受信モジュール内の各手段を制御すると共に、上記デスクランブラ手段より第１の入力ポートから入力したストリームを、データ蓄積しない場合は第１の出力ポートに出力し、データ蓄積する場合は第２の出力ポートに出力すると共に、第２の入力ポートから入力したストリームを第１の出力ポートに出力する限定受信制御手段と、
上記限定受信制御手段の第１の出力ポートより入力したストリームに対し、同じく上記限定受信制御手段から与えられた暗号鍵に従い暗号化処理をして、暗号のかかったストリームをデジタル放送受信装置本体に出力するストリーム暗号手段と、
上記限定受信制御手段の第２の出力ポートよりストリームを入力し、外部の著作権保護機能付きのデータ蓄積カード接続アダプタ、又は、著作権保護機能付きデータ蓄積装置に対し、相互認証しながら、データ格納時は暗号化処理をしてストリームを送信し、暗号化したデータの取り込み時はストリームを受信して復号化処理すると共に、取り込んだストリームを上記限定受信制御手段の第２の入力ポートに出力する著作権保護機能付きストリーム送受信手段とを備えた、
ことを特徴とする外部限定受信モジュール。
【発明の詳細な説明】
【０００１】
【発明の属する技術分野】
本発明は、圧縮映像、及び音声のストリームをデコード処理するデジタル放送限定受信装置、及び外部限定受信モジュールに関し、特に、デジタル放送で送られてくる著作権保護機能付きの映像、及び音声ストリームを扱うデジタル放送限定受信装置、及び外部限定受信モジュールに関するものである。
【０００２】
【従来の技術】
従来のデジタル放送限定受信装置としては、例えばＳＣＴＥ　ＤＶＳ１３１に記載されたＰＯＤと呼ばれる外部限定受信モジュール付きのものが知られている。
以下、従来のＰＯＤと呼ばれる外部限定受信モジュール付きの一般的なデジタル放送限定受信装置において、データを蓄積する機構を付加したものについて、図４を参照しながら説明する。
【０００３】
図４は従来のデータを蓄積する機構を付加した一般的な外部限定受信モジュール付きデジタル放送限定受信装置のシステム構成図を示したものであり、デジタル放送受信装置本体１、外部限定受信モジュール８、データ蓄積カード接続アダプタ９、データ蓄積カード１０から構成されている。
【０００４】
また、デジタル放送受信装置本体１は、ＣＰＵ１１、出力するデータを一旦格納するメモリ１２、データ蓄積カード接続アダプタ９とデータを送受信するデータ送受信部１３、入力した信号をスクランブルのかかったトランスポートストリームとして、外部限定受信モジュール８に出力するフロントエンド部１４、ストリームの復号化処理を行うストリーム復号部１５、データのデコード処理を行うデコード部１６から構成され、外部限定受信モジュール８は、スクランブルされた番組データをデスクランブル処理するデスクランブラ部２１、デジタル放送受信装置本体１内のＣＰＵと相互認証を行う限定受信制御部２９、ストリームの暗号化処理を行うストリーム暗号部２３から構成され、データ蓄積カード接続アダプタ９は、デジタル放送受信装置本体とデータを送受信するデータ送受信部３０、データ蓄積の制御を行うデータ蓄積カード制御部３１から、それぞれ構成されている。
【０００５】
まず、デジタル放送受信装置本体１に入力した信号は、フロントエンド部１４にて、周波数により選局した後、変調された信号をデジタル復調、さらに誤り訂正を行って、スクランブルのかかったトランスポートストリームとして、外部限定受信モジュール８に出力する。
【０００６】
次に、外部限定受信モジュール８に入力したスクランブルのかかったトランスポートストリームは、デジタル放送受信装置本体１と制御情報のやり取りをしている限定受信制御部２９の制御の下で、デスクランブラ部２１にて、スクランブルされた番組データ、番組情報（ＥＣＭ）として暗号化されたスクランブル鍵、個別情報（ＥＭＭ）として暗号化されたワーク鍵に分離し、受信しようとしている番組が契約内容と合致していれば、デジタル放送受信装置本体１、又は、外部限定受信モジュール８の内部に格納されているマスタ鍵によってワーク鍵を復号化し、復号化されたワーク鍵によってスクランブル鍵を復号化し、復号化されたスクランブル鍵によって番組データをデスクランブル処理して、その結果スクランブルの解除されたトランスポートストリームとして出力する。
【０００７】
出力されたトランスポートストリームは、限定受信制御部２９を経由して、ストリーム暗号部２３に入力されるが、ここで外部限定受信モジュール８内のストリーム暗号部２３とデジタル放送受信装置本体１内のストリーム復号部１５との処理アルゴリズムは対であり、外部限定受信モジュール８内の限定受信制御部２９とデジタル放送受信装置本体１内のＣＰＵ１１の間で相互認証を行った後、交換された暗号鍵情報に従って、限定受信制御部２９の制御下のストリーム暗号部２３で一旦暗号化処理をして、暗号のかかったトランスポートストリームに変換して、デジタル放送受信装置本体１に出力する。
【０００８】
再び、デジタル放送受信装置本体１に入力した暗号のかかったトランスポートストリームは、同様にして交換された暗号鍵情報に従って、ＣＰＵ１１の制御下のストリーム復号部１５で復号化処理をして、暗号の解除された元のトランスポートストリームに逆変換して、デコーダ部１６に出力する。
【０００９】
最後に、映像・音声を直接再生する場合は、デコーダ部１６で、トランスポートストリームから所定の圧縮された映像と音声のデータを選択分離した後、映像と音声のデコード処理をして、非圧縮のＡＶデータを外部の表示装置に出力し、映像と音声の再生を行う。
【００１０】
一方、一旦データを蓄積する場合は、デコーダ部１６で、トランスポートストリームから所定のデータを選択分離した後、メモリ１２に一旦データを格納し、ＵＳＢ等のインタフェースを有するデータ送受信部１３からデータ蓄積カード接続アダプタ９にデータを送信する。
【００１１】
次に、データ蓄積カード接続アダプタ９に入力したデータは、デジタル放送受信装置本体１内のデータ送受信部１３と対となるデータ送受信部３０にて一旦受け取り、データ蓄積カード制御部３１を介して、データ蓄積カード１０に格納できる。
【００１２】
逆に、データ蓄積カード１０内に格納されたデータは、逆のルートを通って、デジタル放送受信装置本体１内のメモリ１２に一旦格納され、例えば、圧縮された音声データであれば、デコーダ部１６にて音声のデコード処理して、非圧縮の音声データを外部のスピーカに出力して再生できる。
【００１３】
【発明が解決しようとする課題】
このデジタル放送限定受信装置においては、データ蓄積カード接続アダプタを介して生のデータが流れるという著作権保護機能を有しない単なるデータ蓄積カードしか接続できなく、著作権保護機能を有するデータの蓄積を行う場合、新規に著作権保護機能を有したデジタル放送受信装置本体を開発し、既存のデジタル放送受信装置本体と置き換えるしか方法がなかった。
【００１４】
本発明は上記問題を解決するためになされたものであり、既存のデジタル放送受信装置本体を交換することなく、暗号化されたデータを扱う著作権保護機能を有するデータ蓄積サービスを行うことのできるデジタル放送限定受信装置、及び外部限定受信モジュールを提供することを目的とする。
【００１５】
【課題を解決するための手段】
上記問題を解決するために、本発明の請求項１に記載のデジタル放送限定受信装置は、デジタル放送限定受信装置において、圧縮された映像、及び音声のストリームをデコード処理するデジタル放送受信装置本体と、デジタル放送限定受信機能を有する外部限定受信モジュールと、著作権保護機能を有するデータ蓄積カード、又は、データ蓄積装置と、上記外部限定受信モジュールと、上記データ蓄積カード、又は、上記データ蓄積装置とを接続する手段とを備えたものである。
【００１６】
これにより、既存のデジタル放送受信装置本体のままで、コネクタ等のプロープ可能な箇所にて生のデータやストリームが流れることなく、暗号化されたデータを扱う著作権保護機能を有する有料のデータ蓄積サービスを行うことができる。
【００１７】
また、本発明の請求項２に記載のデジタル放送限定受信装置は、デジタル放送限定受信装置において、圧縮された映像、及び音声のストリームをデコード処理するデジタル放送受信装置本体と、デジタル放送限定受信機能を有する外部限定受信モジュールと、著作権保護機能を有するデータ蓄積カード、又は、データ蓄積装置と、上記外部限定受信モジュールと、該外部限定受信モジュールと上記データ蓄積カードとを接続するデータ蓄積カード接続アダプタ、又は、上記データ蓄積装置との間でデータの送受信を行う通信手段とを備えたものである。
【００１８】
これにより、既存のデジタル放送受信装置本体のままで、コネクタ等のプロープ可能な箇所にて生のデータやストリームが流れることなく、暗号化されたデータを扱う著作権保護機能を有する有料のデータ蓄積サービスを行うことができる。
【００１９】
また、本発明の請求項３に記載のデジタル放送限定受信装置は、デジタル放送限定受信装置において、圧縮された映像、及び音声のストリームをデコード処理するデジタル放送受信装置本体と、デジタル放送限定受信機能を有する外部限定受信モジュールと、上記外部限定受信モジュールと、該外部限定受信モジュールと上記データ蓄積カードとを接続するデータ蓄積カード接続アダプタ、又は、上記データ蓄積装置との間でストリームの送受信を行う通信手段とを備えたものである。
【００２０】
これにより、既存のデジタル放送受信装置本体のままで、コネクタ等のプロープ可能な箇所にて生のデータやストリームが流れることがなく、暗号化されたデータを扱う著作権保護機能を有する有料のデータ蓄積サービスを行うことができる。
【００２１】
また、本発明の請求項４に記載の外部限定受信モジュールは、スクランブルのかかったストリームをデジタル放送受信装置本体から入力し、契約内容に応じてデスクランブル処理をして、スクランブル解除のストリームを出力するデスクランブラ手段と、上記デジタル放送受信装置本体とのやり取りにより、本外部限定受信モジュール内の各手段を制御すると共に、上記デスクランブラ手段より第１の入力ポートから入力したストリームを、データ蓄積しない場合は、第１の出力ポートに出力し、データ蓄積する場合は、第２の出力ポートに出力すると共に、第２の入力ポートから入力したストリームを第１の出力ポートに出力する限定受信制御手段と、上記限定受信制御手段の第１の出力ポートより入力したストリームに対し、同じく上記限定受信制御手段から与えられた暗号鍵に従い暗号化処理をして、暗号のかかったストリームを上記デジタル放送受信装置本体に出力するストリーム暗号手段と、上記限定受信制御手段の第２の出力ポートよりストリームを入力し、該ストリームのヘッダ部を解釈して種類毎にストリーム内から選択分離したデータを出力するストリーム分離手段と、入力したデータを種類毎にストリームのヘッダ部を付加し、多重化して生成したストリームを上記限定受信制御手段の第２の入力ポートに出力するストリーム多重手段と、上記ストリーム分離手段よりデータを入力し、外部の著作権保護機能付きデータ蓄積カード、又は、著作権保護機能付きデータ蓄積装置に対し、相互認証しながら、データ格納時は暗号化処理をしてデータ出力し、データ取り込み時は暗号化したデータを入力して復号化処理をすると共に、取り込んだデータを上記ストリーム多重手段に出力する著作権保護機能付きデータ蓄積制御手段とを備えたものである。
【００２２】
これにより、デジタル放送受信装置本体とはスクランブル、又は、暗号化されたストリームで入出力をする外部限定受信モジュール側で、該外部限定受信モジュール内の著作権保護機能付きデータ蓄積制御手段を用いて、外部に接続した著作権保護機能付きデータ蓄積カード、又は、外部に接続した著作権保護機能付きデータ蓄積装置に、暗号のかかったデータにて、著作権保護機能付きデータの蓄積処理を行うことができる。
【００２３】
また、本発明の請求項５に記載の外部限定受信モジュールは、スクランブルのかかったストリームをデジタル放送受信装置本体から入力し、契約内容に応じてデスクランブル処理をして、スクランブル解除のストリームを出力するデスクランブラ手段と、デジタル放送受信装置本体とのやり取りにより、本外部限定受信モジュール内の各手段を制御すると共に、上記デスクランブラ手段より第１の入力ポートから入力したストリームを、データ蓄積しない場合は第１の出力ポートに出力し、データ蓄積する場合は第２の出力ポートに出力すると共に、第２の入力ポートから入力したストリームを第１の出力ポートに出力する限定受信制御手段と、上記限定受信制御手段の第１の出力ポートより入力したストリームに対し、同じく上記限定受信制御手段から与えられた暗号鍵に従い暗号化処理をして、暗号のかかったストリームをデジタル放送受信装置本体に出力するストリーム暗号手段と、上記限定受信制御手段の第２の出力ポートよりストリームを入力し、該ストリームのヘッダ部を解釈して種類毎にストリーム内から選択分離したデータを出力するストリーム分離手段と、　入力したデータを種類毎にストリームのヘッダ部を付加し、多重化して生成したストリームを上記限定受信制御手段の第２の入力ポートに出力するストリーム多重手段と、上記ストリーム分離手段よりデータを入力し、外部の著作権保護機能付きのデータ蓄積カード接続アダプタ、又は、著作権保護機能付きデータ蓄積装置に対し、相互認証しながら、データ格納時は暗号化処理をしてデータ送信し、データ取り込み時は暗号化したデータを受信して復号化処理すると共に、取り込んだデータを上記ストリーム多重手段に出力する著作権保護機能付きデータ送受信手段とを備えたものである。
【００２４】
これにより、デジタル放送受信装置本体とはスクランブル、又は、暗号化されたストリームで入出力をする外部限定受信モジュール側で著作権保護機能付きデータ送受信手段を用い、外部に接続した著作権保護機能付きデータ蓄積カード接続アダプタを介しての著作権保護機能付きデータ蓄積カード、又は、外部に接続した著作権保護機能付きデータ蓄積装置に、暗号のかかったデータにて、著作権保護機能付きデータ蓄積処理を行うことができる。
【００２５】
本発明の請求項６に記載の外部限定受信モジュールは、スクランブルのかかったストリームをデジタル放送受信装置本体から入力し、契約内容に応じてデスクランブル処理をして、スクランブル解除のストリームを出力するデスクランブラ手段と、デジタル放送受信装置本体とのやり取りにより、本外部限定受信モジュール内の各手段を制御すると共に、上記デスクランブラ手段より第１の入力ポートから入力したストリームを、データ蓄積しない場合は第１の出力ポートに出力し、データ蓄積する場合は第２の出力ポートに出力すると共に、第２の入力ポートから入力したストリームを第１の出力ポートに出力する限定受信制御手段と、上記限定受信制御手段の第１の出力ポートより入力したストリームに対し、同じく上記限定受信制御手段から与えられた暗号鍵に従い暗号化処理をして、暗号のかかったストリームをデジタル放送受信装置本体に出力するストリーム暗号手段と、上記限定受信制御手段の第２の出力ポートよりストリームを入力し、外部の著作権保護機能付きのデータ蓄積カード接続アダプタ、又は、著作権保護機能付きデータ蓄積装置に対し、相互認証しながら、データ格納時は暗号化処理をしてストリームを送信し、暗号化したデータの取り込み時はストリームを受信して復号化処理すると共に、取り込んだストリームを上記限定受信制御手段の第２の入力ポートに出力する著作権保護機能付きストリーム送受信手段とを備えたものである。
【００２６】
これにより、デジタル放送受信装置本体とはスクランブル、又は、暗号化されたストリームで入出力をする外部限定受信モジュール側で著作権保護機能付きストリーム送受信手段を用い、外部に接続した著作権保護機能付きデータ蓄積カード接続アダプタを介しての著作権保護機能付きデータ蓄積カード、又は、外部に接続した著作権保護機能付きデータ蓄積装置に、暗号のかかったデータにて、著作権保護機能付きデータ蓄積処理ができる。
【００２７】
【発明の実施の形態】
以下、本発明の実施の形態について、図１から図３を用いて説明する。
実施の形態１．
図１は本発明の実施の形態１に係る外部限定受信モジュール、及び、それを用いたデジタル放送限定受信装置のシステム構成図を示すものである。
図において、デジタル放送受信装置本体１、外部限定受信モジュール２、著作権保護機能付きデータ蓄積カード３から構成されている。
【００２８】
また、デジタル放送受信装置本体１は、図４の従来例と同様、ＣＰＵ１１、メモリ１２、データ送受信部１３、フロントエンド部１４、ストリーム復号部１５、デコード部１６から構成される。
【００２９】
また、外部限定受信モジュール２は、デスクランブラ手段としてのデスクランブラ部２１、限定受信制御手段としての限定受信制御部２２、ストリーム暗号手段としてのストリーム暗号部２３、ストリーム分離手段としてのストリーム分離部２４、ストリーム多重手段としてのストリーム多重部２５、著作権保護機能付きデータ蓄積制御手段としての著作権保護機能付きデータ蓄積カード制御部２６から構成され、これら構成要素のうち、デスクランブラ部２１、ストリーム暗号部２３は図４の従来例の構成と同じである。
【００３０】
以上のように構成された外部限定受信モジュール、及び、それを用いたデジタル放送限定受信装置について、以下、その動作を述べる。
デジタル放送受信装置本体１、及び、外部限定受信モジュール２内のデスクランブラ部２１、ストリーム暗号部２３は、従来例の図４と同じ構成なので、ここでの動作説明は省略し、構成の異なる外部限定受信モジュール２と著作権保護機能付きデータ蓄積カード３間のデータのやり取りを中心に説明する。
【００３１】
デジタル放送受信装置本体１から入力したスクランブルのかかったトランスポートストリームは、従来例と同様の処理にてデスクランブラ部２１でスクランブルを解除し、限定受信制御部２２の第１の入力ポートに入力される。
【００３２】
第１の入力ポートに入力されたトランスポートストリームは、データ蓄積しない場合は第１の出力ポートからストリーム暗号部２３にそのまま出力し、ストリーム暗号部２３にて従来例と同様の処理にて暗号のかかったトランスポートストリームに変換してデジタル放送受信装置本体１に出力するが、データを蓄積する場合は第２の出力ポートからストリーム分離部２４にそのまま出力する。
【００３３】
ストリーム分離部２４では、入力したトランスポートストリームに対し、ヘッダ部を解釈してＰＩＤ（Ｐｒｏｇｒａｍ　ＩＤ）毎に選択分離したデータを著作権保護機能付きデータ蓄積カード制御部２６に出力する。
【００３４】
著作権保護機能付きデータ蓄積カード制御部２６では、まず、データ格納時は、ＳＤメモリカード等の外部の著作権保護機能付きデータ蓄積カード３に対し、相互認証しながら交換した暗号鍵情報に従って暗号化したデータを格納し、次に、データ取り込み時は、取り込んだ暗号化したデータに対し、同様に相互認証しながら交換した暗号鍵情報に従って復号化処理をして、暗号のかかっていないデータをストリーム多重部２５に出力する。このように、外部限定受信モジュール２内の著作権保護機能付きデータ蓄積カード制御部２６と、著作権保護機能付きデータ蓄積カード３との間は、相互認証により交換された暗号鍵情報に従った暗号化されたデータがやり取りされる。
【００３５】
ストリーム多重部２５では、入力したデータに対し、種類毎にＰＩＤを含むストリームのヘッダ部を付加し、多重化処理してトランスポートストリームの形式に戻して、限定受信制御部２２の第２の入力ポートに出力する。
【００３６】
そして、限定受信制御部２２では、データを蓄積する場合も、データを蓄積しない場合と同様に、入力したトランスポートストリームを、第１の出力ポートからストリーム暗号部２３へ出力し、ストリーム暗号部２３にて従来例と同様の処理にて暗号化のかかったトランスポートストリームに変換してデジタル放送受信装置本体１に出力する。
【００３７】
以上のような、本発明の実施の形態１に係るデジタル放送限定受信装置、及び外部限定受信モジュールは、デジタル放送受信装置本体１とはスクランブル、又は、暗号化されたストリームで入出力する外部限定受信モジュール２側で、著作権保護機能付きデータ蓄積カード３を接続する手段として、著作権保護機能付きデータ蓄積カード制御部２６を備えたので、既存のデジタル放送受信装置のままで、暗号化されたデータを扱う著作権保護機能を有する有料のデータ蓄積サービスを行うことができる。
【００３８】
なお、以上の説明では、著作権保護機能付きデータ蓄積制御手段として著作権保護機能付きデータ蓄積カード制御部２６を用い、外部のＳＤメモリカード等の著作権保護機能付きデータ蓄積カード３にデータを蓄積する例で説明したが、著作権保護機能付きデータ蓄積手段として著作権保護機能付きデータ蓄積メディア制御部を用い、外部のＨＤＤ、ＤＶＤ等のデータ蓄積装置に直接暗号化されたデータを蓄積する場合についても同様に実施可能である。
【００３９】
実施の形態２．
本発明の実施の形態２に係るデジタル放送限定受信装置、及び外部限定受信モジュールは、著作権保護機能付きデータの蓄積処理を行うために、外部限定受信モジュールと、該外部限定受信モジュールの外部の著作権保護機能付きデータ蓄積カードに接続するデータ蓄積カード接続アダプタとに、著作権保護機能付きデータを送受信する著作権保護機能付きデータ送受信部を各々備え、外部限定受信モジュールとデータ蓄積カードアダプタとの間で、相互認証により交換された暗号鍵情報に従って暗号化されたデータを送受信するものである。
【００４０】
図２は本発明の実施の形態２の外部限定受信モジュール、及び、それを用いたデジタル放送限定受信装置のシステム構成図を示し、デジタル放送受信装置本体１、外部限定受信モジュール４、データ蓄積カード接続アダプタ５、著作権保護機能付きデータ蓄積カード３から構成されている。
【００４１】
なお、デジタル放送受信装置本体１、及び、内部の各構成要素１１〜１６は従来例の図４の構成と同じで、著作権保護機能付きデータ蓄積カード３は図１の構成と同じである。
【００４２】
また、外部限定受信モジュール４は、デスクランブラ部２１、限定受信制御部２２、ストリーム暗号部２３、ストリーム分離部２４、ストリーム多重部２５、著作権保護機能付きデータ送受信手段としての著作権保護機能付きデータ送受信部２７から構成され、データ蓄積カード接続アダプタ５は、著作権保護機能付きデータ蓄積カード制御部２６、著作権保護機能付きデータ送受信部２７から構成されている。
【００４３】
なお、デスクランブラ部２１、限定受信制御部２２、ストリーム暗号部２３、ストリーム分離部２４、ストリーム多重部２５、著作権保護機能付きデータ蓄積カード制御部２６は、図１の構成と同じである。
【００４４】
以上のように構成された外部限定受信モジュール、及び、それを用いたデジタル放送限定受信装置について、以下、その動作を述べる。
図１と比較すると明らかなように、図２は図１において、ストリーム分離部２４、及び、ストリーム多重部２５と著作権保護機能付きデータ蓄積カード制御部２６との間に、対となる２つの著作権保護機能付きデータ送受信部２７を追加し、図１における外部限定受信モジュール２を、外部限定受信モジュール４とデータ蓄積カード接続アダプタ５の２つに分離したものである。
【００４５】
従って、ここでは対となる外部限定受信モジュール４内の著作権保護機能付きデータ送受信部２７とデータ蓄積カード接続アダプタ５内の著作権保護機能付きデータ送受信部２７とのやり取りのみ説明する。
【００４６】
外部限定受信モジュール４内の著作権保護機能付きデータ送受信部２７では、まず、著作権保護機能付きデータ蓄積カード３へのデータ格納時は、ストリーム分離部２４より入力したデータを、対となるデータ蓄積カードアダプタ５内の著作権保護機能付きデータ送受信部２７に対し、相互認証しながら交換した暗号鍵情報に従って暗号化したデータをＵＳＢ等の通信手段で送信し、次に、著作権保護機能付きデータ蓄積カード３からのデータ取り込み時は、ＵＳＢ等の通信手段で受信した暗号化したデータに対し、同様に相互認証しながら交換した暗号鍵情報に従って復号化処理をして、暗号のかかっていないデータをストリーム多重部２５に出力する。
【００４７】
このように、外部限定受信モジュール４とデータ蓄積カードアダプタ５との間も、相互認証により交換された暗号鍵情報に従って暗号化されたデータが送受信される。
【００４８】
以上のような、本発明の実施の形態２に係る外部限定受信モジュール、及びデジタル放送限定受信装置は、デジタル放送受信装置本体１とはスクランブル、又は、暗号化されたストリームで入出力をする外部限定受信モジュール４側に、著作権保護機能付きデータ送受信部２７を備え、外部に接続した著作権保護機能付きデータ蓄積カード接続アダプタ５を介して、該外部限定受信モジュールと著作権保護機能付きデータ蓄積カード、又は、外部に接続した著作権保護機能付きデータ蓄積装置とを接続するようにしたので、既存のデジタル放送受信装置本体のままで、コネクタ等のプロープ可能な箇所にて生のデータやストリームが流れることなく、暗号化されたデータを扱う著作権保護機能を有する有料のデータ蓄積サービスを行うことができる。
【００４９】
なお、以上の説明では、著作権保護機能付きデータ送受信手段として著作権保護機能付きデータ送受信部２７を用い、暗号済みのデータに対するＵＳＢ等の通信にて外部のデータ蓄積カード接続アダプタ５を介して外部の著作権保護機能付きデータ蓄積カード３と接続してデータを蓄積する例で説明したが、同等の通信手段を用いて、外部のＨＤＤ、ＤＶＤ等のデータ蓄積装置に暗号化されたデータを蓄積する場合についても同様に実施可能である。
【００５０】
実施の形態３．
本発明の実施の形態３に係るデジタル放送限定受信装置、及び外部限定受信モジュールは、著作権保護機能付きデータの蓄積処理を行うために、外部限定受信モジュールと著作権保護機能付きデータ蓄積カードとを接続するデータ蓄積カード接続アダプタで、外部限定受信モジュールから受信したトランスポートストリームを分離、及び多重するようにし、該外部限定受信モジュールと該データ蓄積カード接続アダプタとの間で、相互認証により交換された暗号鍵情報に従って暗号化されたトランスポートストリームを送受信するものである。
【００５１】
図３は本発明の実施の形態３に係る外部限定受信モジュール、及び、それを用いたデジタル放送限定受信装置のシステム構成図を示し、デジタル放送受信装置本体１、外部限定受信モジュール６、データ蓄積カード接続アダプタ７、著作権保護機能付きデータ蓄積カード３から構成されている。
【００５２】
なお、デジタル放送受信装置本体１、及び、内部の各構成要素１１〜１６は従来例の図４の構成と同じで、著作権保護機能付きデータ蓄積カード３は図１の構成と同じである。
【００５３】
また、外部限定受信モジュール６は、デスクランブラ部２１、限定受信制御部２２、ストリーム暗号部２３、著作権保護機能付きストリーム送受信手段としての著作権保護機能付きストリーム送受信部２８から構成され、データ蓄積カード接続アダプタ７は、ストリーム分離部２４、ストリーム多重部２５、著作権保護機能付きデータ蓄積カード制御部２６、著作権保護機能付きストリーム送受信部２８から構成されている。
【００５４】
なお、デスクランブラ部２１、限定受信制御部２２、ストリーム暗号部２３、ストリーム分離部２４、ストリーム多重部２５、著作権保護機能付きデータ蓄積カード制御部２６は、図１の構成と同じである。
【００５５】
以上のように構成された外部限定受信モジュール、及び、それを用いたデジタル放送限定受信装置について、以下、その動作を述べる。
図３は、図１と比較すると、限定受信制御部２２とストリーム分離部２４、及び、ストリーム多重部２５との間に、対となる２つの著作権保護機能付きストリーム送受信部２８を追加し、図１における外部限定受信モジュール２を、外部限定受信モジュール６とデータ蓄積カード接続アダプタ７の２つに分離したものである。
【００５６】
従って、ここでは対となる外部限定受信モジュール６内の著作権保護機能付きストリーム送受信部２８とデータ蓄積カード接続アダプタ７内の著作権保護機能付きストリーム送受信部２８とのやり取りのみ説明する。
【００５７】
外部限定受信モジュール６内の著作権保護機能付きストリーム送受信部２８では、まず、著作権保護機能付きデータ蓄積カード３へのデータ格納時は、限定受信制御部２２より入力したトランスポートストリームを、対となるデータ蓄積カードアダプタ７内の著作権保護機能付きストリーム送受信部２８に対し、相互認証しながら交換した暗号鍵情報に従って暗号化したトランスポートストリームをＤＴＣＰ（Ｄｉｇｉｔａｌ　Ｔｒａｎｓｍｉｓｓｉｏｎ　Ｃｏｐｙ　Ｐｒｏｔｅｃｔｉｏｎ）付きのＩＥＥＥ１３９４等の通信手段で送信し、次に、著作権保護機能付きデータ蓄積カード３からのデータ取り込み時は、ＤＴＣＰ付きのＩＥＥＥ１３９４等の通信手段で受信し、暗号化したトランスポートストリームに対し、データ格納時と同様に、相互認証しながら交換した暗号鍵情報に従って復号化処理をして、暗号のかかっていないトランスポートストリームを限定受信制御部２２に出力する。
【００５８】
このように、外部限定受信モジュール６とデータ蓄積カードアダプタ７との間も、相互認証により交換された暗号鍵情報に従った暗号化されたトランスポートストリームが送受信される。
【００５９】
以上のような本発明の実施の形態３に係るデジタル放送限定受信装置、及び外部限定受信モジュールは、デジタル放送受信装置本体１とはスクランブル、又は、暗号化されたストリームで入出力をする外部限定受信モジュール６側に、著作権保護機能付きストリーム送受信部を備え、外部に接続した著作権保護機能付きデータ蓄積カード接続アダプタ７を介して、該外部限定受信モジュールと著作権保護機能付きデータ蓄積カード３、又は、外部に接続した著作権保護機能付きデータ蓄積装置とを接続するようにしたので、既存のデジタル放送受信装置本体のままで、コネクタ等のプロープ可能な箇所にて生のデータやストリームが流れることなく、暗号化されたデータを扱う著作権保護機能を有する有料のデータ蓄積サービスを行うことができる。
【００６０】
なお、以上の説明では、著作権保護機能付きストリーム送受信手段として著作権保護機能付きストリーム送受信部２８を用い、ＤＴＣＰの著作権保護機能を有するＩＥＥＥ１３９４等の通信にて外部のデータ蓄積カード接続アダプタ７を介して外部の著作権保護機能付きデータ蓄積カード３と接続してデータを蓄積する例で説明したが、同等の通信手段を用いて、外部のＨＤＤ、ＤＶＤ等のデータ蓄積装置に暗号化されたトランスポートストリーム、又はデータを蓄積する場合についても同様に実施可能である。
【００６１】
【発明の効果】
以上のように、本発明の請求項１に係るデジタル放送限定受信装置によれば、デジタル放送限定受信装置において、圧縮された映像、及び音声のストリームをデコード処理するデジタル放送受信装置本体と、デジタル放送限定受信機能を有する外部限定受信モジュールと、著作権保護機能を有するデータ蓄積カード、又は、データ蓄積装置と、上記外部限定受信モジュールと、上記データ蓄積カード、又は、上記データ蓄積装置とを接続する手段とを備えたので、既存のデジタル放送受信装置本体のままで、コネクタ等のプロープ可能な箇所にて生のデータやストリームが流れることなく、暗号化されたデータを扱う著作権保護機能を有する有料のデータ蓄積サービスを行うことができる効果がある。
【００６２】
また、本発明の請求項２に記載のデジタル放送限定受信装置によれば、デジタル放送限定受信装置において、圧縮された映像、及び音声のストリームをデコード処理するデジタル放送受信装置本体と、デジタル放送限定受信機能を有する外部限定受信モジュールと、著作権保護機能を有するデータ蓄積カード、又は、データ蓄積装置と、上記外部限定受信モジュールと、該外部限定受信モジュールと上記データ蓄積カードとを接続するデータ蓄積カード接続アダプタ、又は、上記データ蓄積装置との間でデータの送受信を行う通信手段とを備えたので、既存のデジタル放送受信装置本体のままで、コネクタ等のプロープ可能な箇所にて生のデータやストリームが流れることなく、暗号化されたデータを扱う著作権保護機能を有する有料のデータ蓄積サービスを行うことができる効果がある。
【００６３】
また、本発明の請求項３に記載のデジタル放送限定受信装置によれば、デジタル放送限定受信装置において、圧縮された映像、及び音声のストリームをデコード処理するデジタル放送受信装置本体と、デジタル放送限定受信機能を有する外部限定受信モジュールと、上記外部限定受信モジュールと、該外部限定受信モジュールと上記データ蓄積カードとを接続するデータ蓄積カード接続アダプタ、又は、上記データ蓄積装置との間でストリームの送受信を行う通信手段とを備えたので、既存のデジタル放送受信装置本体のままで、コネクタ等のプロープ可能な箇所にて生のデータやストリームが流れることがなく、暗号化されたデータを扱う著作権保護機能を有する有料のデータの蓄積サービスを行うことができる効果がある。
【００６４】
また、本発明の請求項４に記載の外部限定受信モジュールによれば、スクランブルのかかったストリームをデジタル放送受信装置本体から入力し、契約内容に応じてデスクランブル処理をして、スクランブル解除のストリームを出力するデスクランブラ手段と、上記デジタル放送受信装置本体とのやり取りにより、本外部限定受信モジュール内の各手段を制御すると共に、上記デスクランブラ手段より第１の入力ポートから入力したストリームを、データ蓄積しない場合は、第１の出力ポートに出力し、データ蓄積する場合は、第２の出力ポートに出力すると共に、第２の入力ポートから入力したストリームを第１の出力ポートに出力する限定受信制御手段と、上記限定受信制御手段の第１の出力ポートより入力したストリームに対し、同じく上記限定受信制御手段から与えられた暗号鍵に従い暗号化処理をして、暗号のかかったストリームを上記デジタル放送受信装置本体に出力するストリーム暗号手段と、上記限定受信制御手段の第２の出力ポートよりストリームを入力し、該ストリームのヘッダ部を解釈して種類毎にストリーム内から選択分離したデータを出力するストリーム分離手段と、入力したデータを種類毎にストリームのヘッダ部を付加し、多重化して生成したストリームを上記限定受信制御手段の第２の入力ポートに出力するストリーム多重手段と、上記ストリーム分離手段よりデータを入力し、外部の著作権保護機能付きデータ蓄積カード、又は、著作権保護機能付きデータ蓄積装置に対し、相互認証しながら、データ格納時は暗号化処理をしてデータ出力し、データ取り込み時は暗号化したデータを入力して復号化処理をすると共に、取り込んだデータを上記ストリーム多重手段に出力する著作権保護機能付きデータ蓄積制御手段とを備えたので、デジタル放送受信装置本体とはスクランブル、又は、暗号化されたストリームで入出力をする外部限定受信モジュール側で、該外部限定受信モジュール内の著作権保護機能付きデータ蓄積制御手段を用いて、外部に接続した著作権保護機能付きデータ蓄積カード、又は、外部に接続した著作権保護機能付きデータ蓄積装置に、暗号のかかったデータにて、著作権保護機能付きデータの蓄積処理を行うことができる効果がある。
【００６５】
また、本発明の請求項５に記載の外部限定受信モジュールによれば、スクランブルのかかったストリームをデジタル放送受信装置本体から入力し、契約内容に応じてデスクランブル処理をして、スクランブル解除のストリームを出力するデスクランブラ手段と、デジタル放送受信装置本体とのやり取りにより、本外部限定受信モジュール内の各手段を制御すると共に、上記デスクランブラ手段より第１の入力ポートから入力したストリームを、データ蓄積しない場合は第１の出力ポートに出力し、データ蓄積する場合は第２の出力ポートに出力すると共に、第２の入力ポートから入力したストリームを第１の出力ポートに出力する限定受信制御手段と、上記限定受信制御手段の第１の出力ポートより入力したストリームに対し、同じく上記限定受信制御手段から与えられた暗号鍵に従い暗号化処理をして、暗号のかかったストリームをデジタル放送受信装置本体に出力するストリーム暗号手段と、上記限定受信制御手段の第２の出力ポートよりストリームを入力し、ストリームのヘッダ部を解釈して種類毎にストリーム内から選択分離したデータを出力するストリーム分離手段と、　入力したデータを種類毎にストリームのヘッダ部を付加し、多重化して生成したストリームを上記限定受信制御手段の第２の入力ポートに出力するストリーム多重手段と、上記ストリーム分離手段よりデータを入力し、外部の著作権保護機能付きのデータ蓄積カード接続アダプタ、又は、著作権保護機能付きデータ蓄積装置に対し、相互認証しながら、データ格納時は暗号化処理をしてデータ送信し、データ取り込み時は暗号化したデータを受信して復号化処理すると共に、取り込んだデータを上記ストリーム多重手段に出力する著作権保護機能付きデータ送受信手段とを備えたので、デジタル放送受信装置本体とはスクランブル、又は、暗号化されたストリームで入出力をする外部限定受信モジュール側で著作権保護機能付きデータ送受信手段を用い、外部に接続した著作権保護機能付きデータ蓄積カード接続アダプタを介して、著作権保護機能付きデータ蓄積カード、又は、外部に接続した著作権保護機能付きデータ蓄積装置に、暗号のかかったデータにて、著作権保護機能付きデータ蓄積処理を行うことができる効果がある。
【００６６】
本発明の請求項６に記載の外部限定受信モジュールによれば、スクランブルのかかったストリームをデジタル放送受信装置本体から入力し、契約内容に応じてデスクランブル処理をして、スクランブル解除のストリームを出力するデスクランブラ手段と、デジタル放送受信装置本体とのやり取りにより、本外部限定受信モジュール内の各手段を制御すると共に、上記デスクランブラ手段より第１の入力ポートから入力したストリームを、データ蓄積しない場合は第１の出力ポートに出力し、データ蓄積する場合は第２の出力ポートに出力すると共に、第２の入力ポートから入力したストリームを第１の出力ポートに出力する限定受信制御手段と、上記限定受信制御手段の第１の出力ポートより入力したストリームに対し、同じく上記限定受信制御手段から与えられた暗号鍵に従い暗号化処理をして、暗号のかかったストリームをデジタル放送受信装置本体に出力するストリーム暗号手段と、上記限定受信制御手段の第２の出力ポートよりストリームを入力し、外部の著作権保護機能付きのデータ蓄積カード接続アダプタ、又は、著作権保護機能付きデータ蓄積装置に対し、相互認証しながら、データ格納時は暗号化処理をしてストリームを送信し、暗号化したデータの取り込み時はストリームを受信して復号化処理すると共に、取り込んだストリームを上記限定受信制御手段の第２の入力ポートに出力する著作権保護機能付きストリーム送受信手段とを備えたので、デジタル放送受信装置本体とはスクランブル、又は、暗号化されたストリームで入出力をする外部限定受信モジュール側で著作権保護機能付きストリーム送受信手段を用い、外部に接続した、ストリームの分離、及び多重を行う手段を有する著作権保護機能付きデータ蓄積カード接続アダプタを介して、著作権保護機能付きデータ蓄積カード、又は、外部に接続した著作権保護機能付きデータ蓄積装置に、暗号のかかったデータにて、著作権保護機能付きデータ蓄積処理ができる効果がある。
【図面の簡単な説明】
【図１】本発明の一実施の形態を示す外部限定受信モジュール、及びデジタル放送限定受信装置のシステム構成図
【図２】本発明の一実施の形態を示す外部限定受信モジュール、及びデジタル放送限定受信装置のシステム構成図
【図３】本発明の一実施の形態を示す外部限定受信モジュール、及びデジタル放送限定受信装置のシステム構成図
【図４】従来の外部限定受信モジュール、及びデジタル放送限定受信装置のシステム構成図
【符号の説明】
１　デジタル放送受信装置本体
２、４、６　外部限定受信モジュール
３　著作権保護機能付きデータ蓄積カード
５、７　データ蓄積カードアダプタ
２１　デスクランブラ部（デスクランブラ手段）
２２　限定受信制御部（限定受信制御手段）
２３　ストリーム暗号部（ストリーム暗号手段）
２４　ストリーム分離部（ストリーム分離手段）
２５　ストリーム多重部（ストリーム多重手段）
２６　著作権保護機能付きデータ蓄積カード制御部（著作権保護機能付きデータ蓄積制御手段）
２７　著作権保護機能付きデータ送受信部（著作権保護機能付きデータ送受信手段）
２８　著作権保護機能付きストリーム送受信部（著作権保護機能付きストリーム送受信手段）
【図１】
2004032342.tif 000003
【図２】
2004032342.tif 000004
【図３】
2004032342.tif 000005
【図４】
2004032342.tif 000006